(57)【要約】【課題】部材の共通化が図られ、サイズの異なる鼻隠しに対して少品種での対応を可能とするとともに、軒下に吊り下げられる物品の吊持を可能にしたフック付き鼻隠し部材を提供すること。【解決手段】板状の本体２が、第１の部材１３と第２の部材１４に二分割され、第１の部材と第２の部材はともに、本体の第１の面３側において互いに重なり合う重なり部１５を有し、重なり部には、重なり合って本体の第２の面４から第１の面にかけて連通する長孔１２が形成され、鼻隠しに取り付けられたときに最下端に位置する本体の一端縁から、物品の吊下げを可能としたフック９が第２の面側に突設されている。【選択図】図１
2011127406.tif 000002
【特許請求の範囲】
【請求項１】
建物の屋根の軒先に設けられた鼻隠しに当接する第１の面と、第１の面に対向して配置された第２の面とを有する板状の本体を備え、軒樋を吊持する軒樋吊具に備えた固定部を係止可能とした固定溝が、本体の第２の面側に設けられたフック付き鼻隠し部材であって、
本体は、第１の部材と第２の部材に二分割され、
第１の部材と第２の部材はともに、本体の第１の面側において互いに重なり合う重なり部を有し、重なり部の重ね合わせ代が調節可能とされるとともに、重なり部には、第１の部材と第２の部材が重なり合う際に、重なり合って本体の第２の面から第１の面にかけて連通する長孔が形成され、長孔は、重なり部の重ね合わせ代の方向に延び、
鼻隠しに取り付けられたときに最下端に位置する本体の一端縁から、物品の吊下げを可能としたフックが第２の面側に突設されている
ことを特徴とするフック付き鼻隠し部材。
【請求項２】
軒樋の上端開口に沿って設けられるカバーまたは水切りの差込みが可能とされた差込溝が、本体の第２の面側において固定溝から離れた位置に設けられていることを特徴とする請求項１に記載のフック付き鼻隠し部材。
【請求項３】
鼻隠しに取り付けられたときに最下端に位置する本体の一端縁から、水切り片が第１の面側に突設されていることを特徴とする請求項１または２に記載のフック付き鼻隠し部材。
【発明の詳細な説明】
【技術分野】
【０００１】
本発明は、建物の屋根の軒先に設けられる鼻隠しをカバーするとともに、軒樋を軒先に取り付けるための鼻隠し部材に関する。
【背景技術】
【０００２】
本出願人は、軒樋の雪よけや落ち葉よけなどのために配設されるカバー部材と、屋根を伝って流れ落ちる雨水を確実に軒樋で受けるための水切りとを配設する際の施工の手間を軽減するために、下記特許文献１に記載したような、落ち葉よけと水切りを兼ねた軒樋カバーを提案した。
【０００３】
その後、既設の軒樋に対して雪よけや落ち葉よけ、また、水切りなどの機能を付加したくとも、上記軒樋カバーでは、野地板に固定されるため、それが叶わないことが見出された。
【０００４】
そこで、本出願人は、雪よけや落ち葉よけなどとして配設されるカバー部材や水切りを既設の軒樋に対し後付け可能とし、しかも、その取付けをワンタッチで簡単に行えるようにした鼻隠し部材の開発を行っている。
【先行技術文献】
【特許文献】
【０００５】
【特許文献１】特開２０００−１３６６０６号公報
【発明の概要】
【発明が解決しようとする課題】
【０００６】
鼻隠し部材は、建物の屋根の軒先に取り付けられた鼻隠しをカバーし、軒先を美麗におさめるものであるが、これまで知られている鼻隠し部材は、サイズの異なる鼻隠しに対して、各サイズに合ったものが作製され、個別に対応している。このため、鼻隠し部材は、多品種なものとなっており、生産や在庫などの管理が煩わしいという問題がある。
【０００７】
また、屋根の軒下では、物干し竿やすだれ、プランターなどがしばしば吊り下げられて使用されている。しかしながら、これらの物品の吊下げを建物の外観に支障をきたすことなく実現するなどの配慮は、従来、鼻隠し部材にはなされていなかった。
【０００８】
本発明は、以上のとおりの事情に鑑みてなされたものであり、部材の共通化が図られ、サイズの異なる鼻隠しに対して少品種での対応を可能とするとともに、軒下に吊り下げられる物品の吊持を可能にしたフック付き鼻隠し部材を提供することを課題としている。
【課題を解決するための手段】
【０００９】
本発明は、上記の課題を解決するために、以下の特徴を有している。
【００１０】
第１の発明は、建物の屋根の軒先に設けられた鼻隠しに当接する第１の面と、第１の面に対向して配置された第２の面とを有する板状の本体を備え、軒樋を吊持する軒樋吊具に備えた固定部を係止可能とした固定溝が、本体の第２の面側に設けられたフック付き鼻隠し部材であって、本体は、第１の部材と第２の部材に二分割され、第１の部材と第２の部材はともに、本体の第１の面側において互いに重なり合う重なり部を有し、重なり部の重ね合わせ代が調節可能とされるとともに、重なり部には、第１の部材と第２の部材が重なり合う際に、重なり合って本体の第２の面から第１の面にかけて連通する長孔が形成され、長孔は、重なり部の重ね合わせ代の方向に延び、鼻隠しに取り付けられたときに最下端に位置する本体の一端縁から、物品の吊下げを可能としたフックが第２の面側に突設されていることを特徴としている。
【００１１】
第２の発明は、上記第１の発明の特徴において、軒樋の上端開口に沿って設けられるカバーまたは水切りの差込みが可能とされた差込溝が、本体の第２の面側において固定溝から離れた位置に設けられていることを特徴としている。
【００１２】
第３の発明は、上記第１または第２の発明の特徴において、鼻隠しに取り付けられたときに最下端に位置する本体の一端縁から、水切り片が第１の面側に突設されていることを特徴としている。
【発明の効果】
【００１３】
上記第１の発明では、第１の面と、第１の面に対向して配置された第２の面とを有する板状の本体が、第１の部材と第２の部材に二分割され、第１の部材と第２の部材はともに、本体の第１の面側において互いに重なり合う重なり部を有し、重なり部の重ね合わせ代が調節可能とされている。このため、重なり部の重ね合わせ代を調節することによって、鼻隠しのサイズに合うように大きさを変更することができ、鼻隠しの異なるサイズに対してある程度部材の共通化を図ることができ、少品種での対応が可能となる。生産や在庫などの管理の煩わしさを軽減することができる。
【００１４】
また、上記第１の発明では、鼻隠しに取り付けられたときに最下端に位置する本体の一端縁から、物品の吊下げを可能としたフックが第２の面側に突設されている。このため、建物の外観に支障をきたすことなく、物干し竿やすだれ、緑化用ネット、プランターなどの物品を屋根の軒下に吊り下げることができ、しかも、それを鼻隠し部材によって実現することができる。
【００１５】
さらに、上記第１の発明では、上記のとおり、重なり部の重ね合わせ代が調節可能とされているため、物干し竿やすだれなどの長尺物をほぼ水平に配置させることができ、その機能に障害が生じるのを抑制することができる。
【００１６】
上記第２の発明では、差込溝が、本体の第２の面側において固定溝から離れた位置に設けられている。このため、屋根からの雨水を軒樋内に確実に受水するための水切りは、その一端部を差込溝に差し込むことによって引っ掛かり、係止される。水切りの取付けをワンタッチで簡単に行うことができ、また、水切りの後付けも可能となる。
【００１７】
上記第３の発明では、鼻隠しに取り付けられたときに最下端に位置する本体の一端縁から、水切り片が第１の面側に突設されている。このため、本体の第２の面を伝って流れ落ちる雨水が鼻隠し側に回り込むのを抑制することができ、フック付き鼻隠し部材の下端部において水切り機能を容易に実現することができる。
【図面の簡単な説明】
【００１８】
【図１】本発明のフック付き鼻隠し部材の一実施形態を示した斜視図である。
【図２】図１に示したフック付き鼻隠し部材の断面図および分解斜視図である。
【図３】図１に示したフック付き鼻隠し部材の一使用形態を示した斜視図である。
【図４】図１に示したフック付き鼻隠し部材に取り付ける水切りとその取付方法を示した工程断面図である。
【図５】図１に示したフック付き鼻隠し部材に取り付けられた軒樋吊具による軒樋の吊持について示した断面図である。
【図６】（ａ）、（ｂ）は、それぞれ、図１に示したフック付き鼻隠し部材に取り付ける軒樋吊具の一例を示した側面図、背面図である。
【発明を実施するための形態】
【００１９】
上記のとおり、図１は、本発明のフック付き鼻隠し部材の一実施形態を示した斜視図である。図２は、図１に示したフック付き鼻隠し部材の断面図および分解斜視図である。図３は、図１に示したフック付き鼻隠し部材の一使用形態を示した斜視図である。
【００２０】
フック付き鼻隠し部材１は、平面視矩形薄板状で、横長の本体２を備えている。本体２を形成する材料としては、鋼板などの金属または十分な耐久性と強度などを有する樹脂などが例示される。
【００２１】
本体２は、第１の面３としての裏面３ａと、裏面３ａに対向して配置された第２の面４としての表面４ａを有している。裏面３ａは、平面状に形成され、建物の屋根の軒先において垂木の木口に設けられた鼻隠しの前面に当接可能とされている。
【００２２】
本体２の表面４ａも平面状に形成されている。一方、表面４ａには、断面が略Ｌ字型の形状を有する第１のレール５が、本体２の上端寄りの部分と、中央よりもやや下端寄りの部分とに設けられ、本体２の横方向にその全長にわたって延びている。
【００２３】
第１のレール５は、本体２の表面４ａに直交し、前方に延びる接続片５ａと、接続片５ａの前端から直角に折れ曲がって形成された係止片５ｂとを備えている。２つの第１のレール５は、上下にほぼ対称に配置され、それぞれの係止片５ｂが、本体２の内側に向かって延びるように配置されている。
【００２４】
これらの第１のレール５によって、フック付き鼻隠し部材１では、本体２の第２の面４である表面４ａ側に固定溝６が形成されている。固定溝６は、本体２の表面４ａの前方と、本体２の左右両側方に開放されている。軒樋の吊持に用いられる軒樋吊具は、後述するように、その一端に備えた固定部を固定溝６の内部に挿入することによって、固定部の上下両端縁部が上下の第１のレール５の係止片５ｂに係止され、固定部が、下側の第１のレール５の接続片５ａにより下側から支持され、フック付き鼻隠し部材１に取り付けられる。このように、軒樋吊具は、ネジなどの固着具を使用せず、フック付き鼻隠し部材１に簡単にワンタッチ式で取り付けられる。
【００２５】
第１のレール５も、本体２と同様に、金属製または樹脂製とすることができる。
【００２６】
また、フック付き鼻隠し部材１では、本体２の表面４ａ側において上側の第１のレール５のやや上方に位置する上端に、第２のレール７が設けられている。第２のレール７も、断面が略Ｌ字型の形状を有し、本体２の上端縁に沿って横方向に、本体２の全長にわたって延びている。
【００２７】
第２のレール７は、本体２の表面４ａに直交し、前方に延びる接続片７ａと、接続片７ａの前端から直角に折れ曲がって形成された係止片７ｂとを備えている。また、第２のレール７は、第１のレール５の直上に位置し、接続片７ａが接続片５ａに対向して配置されている。なお、第１のレール５の接続片５ａには、その前端から前方に延長片７ｃが、係止片７ｂの直下の位置まで設けられている。このような第２のレール７も、第１のレール５と同様に、金属製または樹脂製とすることができる。延長片７ｃも同様であり、延長片７ｃは、第１のレール５と一体に形成することができる。
【００２８】
フック付き鼻隠し部材１では、第２のレール７ならびに延長片７ｃおよび第１のレール５の接続片５ａによって取り囲み、差込溝８を形成している。差込溝８は、表面４ａの前方と、本体２の左右両側方に開放されている。軒樋の上端開口に沿って設けられるカバーまたは水切りは、差込溝８への差込みが可能とされており、差込溝８に差し込んでフック付き鼻隠し部材１に取り付けられる。
【００２９】
図４は、図１に示したフック付き鼻隠し部材に取り付ける水切りとその取付方法を示した工程断面図である。
【００３０】
水切り４１は、断面が略くの字型に折り曲げられた形状を有する、雨水を案内する部材である。水切り４１において一端側の固定端部４２では、水切り４１の表面側に折り曲げられ、断面略Ｌ字型の形状を有する被係止部４３が形成されている。被係止部４３の先端部は、強度保持のために、裏側に折り返されている。水切り４１の他端側の先端部４４も、強度保持のために、裏側に折り返されている。
【００３１】
水切り４１を装着する際には、取付状態において下方に折れ曲がって配置されるように、被係止部４３をフック付き鼻隠し部材１の差込溝８の内部に差し込む。水切り４１は、一般に金属製であり、被係止部４３は弾性を有している。被係止部４３は、差込溝８の前端開口を通過する際に、第２のレール７の係止片７ｂと延長片７ｃの間で押し曲げられ、差込溝８の内部に達したとき、弾性によって形状が回復する。その結果、被係止部４３の先端部が、差込溝８の内部で第２のレール７に引っ掛かり、係止片７ｂによって係止され、水切り４１は、フック付き鼻隠し部材１に取り付けられる。このような水切り４１の取付けは、ワンタッチ式であり、取付作業は容易である。
【００３２】
なお、水切り４１の固定端部４２に形成される被係止部４３の形状などは、差込溝８を形成する第２のレール７に対応させることができる。また、落ち葉よけネットや雪よけカバーなどの他のカバーについても、水切り４１と同様に、差込溝８への差込みによってフック付き鼻隠し部材１に取付けが可能である。たとえば、第２のレール７に引っ掛けて取り付けることができる。
【００３３】
そして、フック付き鼻隠し部材１は、水切り４１や、落ち葉よけネット、雪よけカバーなどの他のカバーの先付けばかりでなく、後付けも可能としている。軒樋吊具が軒樋を吊持した状態において、それらカバーの取付けが可能である。
【００３４】
また、フック付き鼻隠し部材１では、本体２の下端からフック９が表面４ａ側に突設されている。フック９が突設された本体２の下端は、フック付き鼻隠し部材１が鼻隠しに取り付けられたときに最下端に位置する部位に対応している。
【００３５】
フック９は、物干し竿やすだれ、緑化用ネット、プランターなどの物品の吊下げを可能にするものであり、断面略Ｌ字型の形状を有している。フック９は、本体２の下端から本体２の表面４ａに直交し、前方に延びる接続片９ａと、接続片９ａの前端から上方に折れ曲がって形成された係止片９ｂとを備えている。係止片９ｂは、本体２の表面４ａに対向して配置されている。係止片９ｂと本体２の表面４ａとの間隔は、係止片９ｂの下端から上端に向かうにしたがって次第に狭くなっており、フック９からの物品の抜外れを効果的に抑制している。また、フック９は、一般住宅では、電飾などの季節の飾付け、小さなプランターなどの吊り下げも可能とし、店舗などでは、看板や電飾などの吊下げも可能としている。
【００３６】
このようなフック９は、小型の部材であり、第１のレール５および第２のレール７とは異なり、本体２に部分的に設けられている。すなわち、本体２において左右両側に１つずつとして都合２個のフック９が本体２に設けられている。フック９も、金属製または樹脂製とすることができる。
【００３７】
さらに、フック付き鼻隠し部材１では、本体２の下端から裏面３ａ側、すなわち、フック９とは反対側に、水切り片１０が設けられている。水切り片１０は、断面略Ｌ字型の形状を有し、本体２の下端縁に沿って横方向に、本体２の全長にわたって延びている。水切り片１０も断面略Ｌ字型の形状を有し、本体２の下端から本体２の裏面３ａに直交し、後方に延びる接続部１０ａと、接続部１０ａの後端から上方に折れ曲がって形成された起立部１０ｂとを備えている。
【００３８】
水切り片１０は、鼻隠しの下端部を下側からカバーするように配置されるものであり、本体２の表面４ａを伝って流れ落ちる雨水が、起立部１０ｂによって鼻隠し側に回り込むのを抑制する。水切り片１０は、フック付き鼻隠し部材１の下端部において水切り機能を容易に実現する。
【００３９】
さらにまた、フック付き鼻隠し部材１では、鼻隠しに固定するための取付孔１１と長孔１２が、本体２の表裏を貫通して形成されている。取付孔１１は、円孔であり、上側に位置する第１のレール５の係止片５ｂの下端のほぼ直下に配置され、本体２の左右と中央に１つずつ、都合３つ設けられている。また、取付孔１１は、ネジなどの固着具の挿入を可能とするものであり、ネジの場合、取付孔１１の孔径は、ネジの胴部の外径よりも大きく、頭部の外径よりも小さくすることができる。
【００４０】
長孔１２は、本体２の縦方向に延びるものであり、取付孔１１と同一直線上に配置され、都合３つ設けられている。また、長孔１２は、下側に位置する第１のレール５の接続片５ａのほぼ直下に配置されている。長孔１２も、ネジなどの固着具の挿入を可能とするものであり、ネジの場合、長孔１２の横幅は、ネジの胴部の外径よりも大きく、頭部の外径よりも小さくすることができる。
【００４１】
そして、フック付き鼻隠し部材１は、本体２の上側に位置する第１の部材１３と、下側に位置する第２の部材１４に二分割されている。第１の部材１３は、固定溝６と差込溝８を有するものであり、第１の部材１３では、上下両方の第１のレール５と、第２のレール７とが設けられている。第２の部材１４は、フック９と水切り片１０を有するものである。
【００４２】
また、第１の部材１３および第２の部材１４はともに、本体２の裏面３ａ側において重なり合う重なり部１５を有している。重なり部１５は、第１の部材１３では下端部に位置し、第２の部材１４では、フック９の係止片９ｂの上方に位置している。重なり部１５では、フック付き鼻隠し部材１を鼻隠しに固着具を用いて取り付けることができるように、第１の部材１３および第２の部材１４の両方に長孔１２が形成されている。重なり部１５を部分的に、またはその全体を重ね合わせるとき、長孔１２も部分的に、または全体が重なり合い、本体２の表面４ａから裏面３ａにかけて互いの長孔１２は連通する。
【００４３】
なお、本体２の裏面３ａは、上記のとおり、鼻隠しの前面に当接可能とされているので、裏面３ａは、鼻隠しの前面にがたつきがなく、隙間の形成を極力押さえて当接することが好ましい。そこで、第１の部材１３および第２の部材１４の裏面は、重ね合わせたときに同一面上に配置されるようにしている。すなわち、第１の部材１３では、重なり部１５が、本体２の裏面３ａよりも第２の部材１４の重なり部１５の厚さ分前方に配置され、段差部１６が設けられている。第１の部材１３と第２の部材１４を本体２の裏面３ａ側で重ね合わせる際には、第２の部材１４の重なり部１５が段差部１６に配置され、第１の部材１３および第２の部材１４の裏面は同一平面上に配置される。
【００４４】
このように、本体２は、第１の部材１３と第２の部材１４に二分割されているので、重なり部１５の重ね合わせ代の調節が可能であり、重ね合わせ代を長く取る場合には、本体２の縦幅は短くなり、重ね合わせ代を短くする場合は、本体２の縦幅は長くなる。したがって、フック付き鼻隠し部材１は、鼻隠しのサイズに合うように大きさを変更することができ、鼻隠しの異なるサイズに対してある程度部材の共通化を図ることができる。フック付き鼻隠し部材１は、少品種での対応を可能とする。このため、生産や在庫などの管理の煩わしさを軽減することができる。また、重なり部１５の重ね合わせ代が調節可能とされているので、物干し竿やすだれなどの長尺物をフック９に吊り下げる場合、軒樋の排水勾配に制限を受けずにほぼ水平に長尺物を吊り下げることができ、その機能に障害が生じるのを抑制することができる。
【００４５】
なお、重ね合わせ代の調節は、たとえば、第１の部材１３を取付孔１１において鼻隠しに固定した後、第２の部材１４を鼻隠し上において上下にスライドさせることによって実現される。調節幅は、長孔１２の長さ範囲内となる。
【００４６】
このようなフック付き鼻隠し部材１は、その縦幅が鼻隠しのサイズに合わせて拡縮され、鼻隠しに取り付けられる。そして、フック９には、すだれ１７などの物品が吊り下げられ、建物の屋根の軒下を有効に活用することができる。すだれ１７や物干し竿、緑化用ネットなどの長尺物については、その物品の上端部に紐やワイヤー１８などを設けると、フック９への吊下げが容易となる。
【００４７】
図５は、図１に示したフック付き鼻隠し部材に取り付けられた軒樋吊具による軒樋の吊持について示した断面図である。図６（ａ）、（ｂ）は、それぞれ、図１に示したフック付き鼻隠し部材に取り付ける軒樋吊具の一例を示した側面図、背面図である。
【００４８】
フック付き鼻隠し部材１は、建物の屋根Ｒの軒先Ｅにおいて垂木５１の木口に設けられた鼻隠し５２に、ネジなどの固着具を取付孔１１および長孔１２を通じて取り付けることによって固定されている。第１の部材１３および第２の部材１４の重なり部１５の重ね合わせ代を調節することによって、縦幅が鼻隠し５２のサイズに合うように調節され、鼻隠し５２の前面をカバーしている。本体２の裏面３ａは、鼻隠し５２の前面に当接している。また、水切り片１０は、鼻隠し５２の下端部を下側からカバーするように配置され、起立部１０ｂは、鼻隠し５２の裏側に回り込んでいる。フック付き鼻隠し部材１を固定する鼻隠し５２は、新設または既設のいずれを問わない。
【００４９】
軒樋吊具６１は、固定部６２として、板状の固定プレート６２ａを備え、固定プレート６２ａは縦置きに配置される。固定プレート６２ａでは、背面側から見て左上および右下の対角位置にある角部に、湾曲する逃げ部６３が形成されている。また、固定プレート６２ａの厚さは、フック付き鼻隠し部材１に設けられた固定溝６の深さにほぼ一致している。
【００５０】
固定プレート６２ａの表面側にはアーム６４が立設され、アーム６４は、固定プレート６２ａに対し略直交している。アーム６４は、軒樋を係止して吊持するものであり、固定プレート６２ａと反対側に位置する先端部には、斜め上方に、固定プレート６２ａから離間するように突出する前耳係止部６５が設けられている。また、アーム６４には、固定プレート６２ａ側の端部において固定プレート６２ａに対向する下端部に、後耳係止部６６が設けられている。さらに、アーム６４では、前耳係止部６５寄りの部分において下方に延びる片状の底壁当接部６７が設けられている。底壁当接部６７は、軒樋の断面形状に対応して、下端部において断面が略Ｌ字状に折り曲げられている。底壁当接部６７は、前耳係止部６５および後耳係止部６６による軒樋の吊持において、軒樋の変形を抑えるとともに、底壁当接部６７の下端が軒樋の底壁部の内面に当接することによって、軒樋の取付けの位置決めをするなどの機能を有している。
【００５１】
このような軒樋吊具６１は、金属または十分な耐久性と強度を有するポリカーボネートなどの樹脂などから形成することができる。
【００５２】
軒樋吊具６１は、固定プレート６２ａを逃げ部６３が形成された２つの角部から先にフック付き鼻隠し部材１の固定溝６に挿入し、図６（ｂ）の図中に示した矢印方向に回動させることによって、フック付き鼻隠し部材１にワンタッチ式で取り付けられる。ネジなどの固着具は不要としている。軒樋吊具６１は、その一端に備えた固定部６２としての固定プレート６２ａを固定溝６の内部に挿入することによって、フック付き鼻隠し部材１に取り付けられる。固定プレート６２ａの上下両端縁部が上下の第１のレール５の係止片５ｂに係止され、固定プレート６２ａが、下側の第１のレール５の接続片５ａにより下側から支持される。
【００５３】
なお、軒樋吊具６１は、鼻隠し５２の長さ方向に適当な間隔で取り付けられる。
【００５４】
フック付き鼻隠し部材１に取り付けられた軒樋吊具６１に対し、軒樋７１が取り付けられる。
【００５５】
軒樋７１は、上端に前耳部７２が設けられ、前耳部７２との間の上端部に係合溝７３を形成している前壁部７４と、前壁部７４に対向して配置され、上方にまっすぐに延びている後壁部７５と、前壁部７４と後壁部７５を各々の下縁において接続する底壁部７６とを備えている。また、軒樋７１は、上端に位置する上端開口７７において上方に開放している。後壁部７５の上端には後耳部７８が設けられ、後耳部７８の下端部にも係合溝７９が形成されている。
【００５６】
このような軒樋７１を軒先Ｅに取り付ける際には、軒樋７１を軒樋吊具６１の下方からあてがい、後耳部７８に形成された係合溝７９に軒樋吊具６１の後耳係止部６６を差し込み、軒樋７１を前方上側に回動させるようにして底壁当接部６７の下端を底壁部７６の内面に当接させる。また、係合溝７３に軒樋吊具６１の前耳係止部６５を挿入する。こうして、前耳係止部６５によって前耳部７２が係止されるとともに、後耳係止部６６によって後耳部７８が係止され、軒樋７１は、軒樋吊具６１のアーム６４に係止されて吊持され、建物の屋根Ｒの軒先Ｅに取り付けられる。
【００５７】
フック付き鼻隠し部材１に設けられたフック９は、軒樋７１の底壁部７６の下方に配置され、あたかも軒樋吊具６１の一部であるかのように視認され、建物の外観に支障をほとんどきたさない。
【００５８】
水切り４１などのカバーは、軒樋７１の取付け前または取付け後に、上記のとおりにフック付き鼻隠し部材１に取り付けることができる。水切り４１は、軒樋７１の上端開口７７に沿って設けられ、屋根Ｒを伝って流れ落ちる雨水を受けることができる。受けた雨水は、軒樋７１の内部に確実に導かれる。
【００５９】
本発明は、以上の実施形態によって限定されるものではない。固定溝および差込溝の形成などの細部については、様々な態様が可能である。たとえば、本体をやや厚みのある板状とし、固定溝および差込溝を第２の面側に凹設することが考慮される。また、軒樋吊具および軒樋についても多様なものが適用可能である。
【符号の説明】
【００６０】
１  フック付き鼻隠し部材
２  本体
３  第１の面
４  第２の面
６  固定溝
８  差込溝
９  フック
１０  水切り片
１２  長孔
１３  第１の部材
１４  第２の部材
１５  重なり部
４１  水切り
５２  鼻隠し
６１  軒樋吊具
６２  固定部
７１  軒樋
７７  上端開口
Ｅ  軒先
Ｒ  屋根
【図１】
2011127406.tif 000003
【図２】
2011127406.tif 000004
【図３】
2011127406.tif 000005
【図４】
2011127406.tif 000006
【図５】
2011127406.tif 000007
【図６】
2011127406.tif 000008